(57)【特許請求の範囲】
【請求項１】
照明負荷への供給電力を制御する電力制御手段と、照明負荷の調光レベルを電力制御手段に対して指示する調光レベル設定手段と、調光レベル設定手段に所望の調光レベルを入力する調光操作手段と、照明負荷のオン・オフを指示するオン・オフスイッチと、調光レベル設定手段で設定した調光レベルを調光操作手段の操作終了毎に記憶する記憶手段と、調光操作手段とオン・オフスイッチとを備えた子器を接続できる端子とを１つのケースに備え、調光操作手段は、調光レベルを増大させるアップスイッチと、調光レベルを減少させるダウンスイッチとからなり、アップスイッチ、ダウンスイッチ、オン・オフスイッチは、それぞれ操作子がケースの外面に突出する押釦スイッチと、平板状に形成され裏面が押釦スイッチの操作子に当接するとともに操作子の進退方向に揺動するようにケースの外面に枢着されたハンドルとにより構成され、記憶手段は書換可能な不揮発性のメモリよりなり、調光レベル設定手段は、通電開始直後には記憶手段に格納されている調光レベルに基づいて電力制御手段に調光レベルを指示することを特徴とする調光器。
【発明の詳細な説明】
【０００１】
【発明の属する技術分野】
本発明は、照明負荷の発光レベルを調節することができる調光器に関するものである。
【０００２】
【従来の技術】
従来より、照明負荷への供給電力を制御して照明負荷の発光レベルを調節するようにした調光器が提供されている。この種の調光器では、所望の調光レベルが得られるように操作する調光操作手段が設けられている。調光操作手段は、調光レベルの増加と減少とを指示できるように構成されている。
【０００３】
【発明が解決しようとする課題】
ところで、上述した構成の調光器では、停電などが発生した場合に停電以前の調光レベルを記憶する手段を備えていなかったから、停電から復旧したときには、あらかじめ設定された初期状態に設定されるようになっていた。その結果、停電から復旧したときに、停電前の調光レベルに設定しようとすれば、調光操作手段を操作する必要があり使い勝手が悪いという問題があった。
【０００４】
本発明は上記問題点の解決を目的とするものであり、停電などによる給電の停止状態からの復旧時に、給電停止前の調光レベルで復旧できるようにした調光器を提供しようとするものである。
【０００５】
【課題を解決するための手段】
上記目的を達成するために、請求項１の構成は、
照明負荷への供給電力を制御する電力制御手段と、照明負荷の調光レベルを電力制御手段に対して指示する調光レベル設定手段と、調光レベル設定手段に所望の調光レベルを入力する調光操作手段と、照明負荷のオン・オフを指示するオン・オフスイッチと、調光レベル設定手段で設定した調光レベルを調光操作手段の操作終了毎に記憶する記憶手段と、調光操作手段とオン・オフスイッチとを備えた子器を接続できる端子とを１つのケースに備え、調光操作手段は、調光レベルを増大させるアップスイッチと、調光レベルを減少させるダウンスイッチとからなり、アップスイッチ、ダウンスイッチ、オン・オフスイッチは、それぞれ操作子がケースの外面に突出する押釦スイッチと、平板状に形成され裏面が押釦スイッチの操作子に当接するとともに操作子の進退方向に揺動するようにケースの外面に枢着されたハンドルとにより構成され、記憶手段は書換可能な不揮発性のメモリよりなり、調光レベル設定手段は、通電開始直後には記憶手段に格納されている調光レベルに基づいて電力制御手段に調光レベルを指示するのである。
【０００６】
（作用）
請求項１の構成によれば、調光レベル設定手段で設定した調光レベルを調光操作手段の操作終了毎に記憶する書換可能な不揮発性のメモリよりなる記憶手段を設け、調光レベル設定手段では、通電開始直後には記憶手段に格納されている調光レベルに基づいて電力制御手段に調光レベルを指示するようにしているので、停電などで給電が停止しても、その時点で記憶手段への書込処理などを行うことなくそれまでの調光レベルを記憶手段に保持しておくことができ、給電が再開されたときには、記憶手段に格納された給電停止前の調光レベルで照明負荷を点灯させることができるのであって、調光レベルの復旧に手間がかからないのである。
【０００７】
また、調光操作手段として、調光レベルを増大させるアップスイッチと、調光レベルを減少させるダウンスイッチとを設け、アップスイッチ、ダウンスイッチ、オン・オフスイッチを、それぞれ押釦スイッチと、押釦スイッチの操作子を操作できるようにケースの外面に枢着したハンドルとにより構成しているので、調光レベルの増大、減少を独立したハンドルで操作できるとともに、照明負荷をオン・オフさせるハンドルが調光レベルを調節するハンドルとは別個に設けられていることによって、操作の意味がわかりやすくなって使い勝手が向上するのである。
【０００８】
しかも、調光操作手段とオン・オフスイッチとを備えた子器を接続できる端子を設けているので、子器を増設するだけで、多箇所から照明負荷を操作できるのである。
【０００９】
【発明の実施の形態】
本実施例では調光器が、第１図に示す親器１であるものとし、親器１には、白熱電球よりなる照明負荷Ｌが接続されるとともに、２線よりなる信号線１を介して子器２が接続されて調光システムが構成され、親器１と子器２とのいずれかの操作部を操作することによって、照明負荷Ｌのオン・オフおよび調光がなされるようにしてある。すなわち、子器２が親器１である調光器に対する外部操作器として機能するのである。
【００１０】
親器１は、第２図のような構成を有している。すなわち、親器１の外部に接続される照明負荷Ｌに対してノイズフィルタNFを介して直列接続される電力制御手段としてのトライアックＱを備え、照明負荷ＬとトライアックＱとの直列回路が、商用電源ACの両端に接続される。このトライアックＱのゲートに調光信号を与えて位相制御することにより、照明負荷Ｌへの供給電力が調節されて調光がなされる。調光信号は、マイクロプロセッサを備えた集積回路である制御回路11で作成され、フォトカプラPCでアイソレーションを行うように構成されたドライブ回路12を介してトライアックＱのゲートに入力される。すなわち、制御回路11が調光レベル設定手段として機能するのである。
【００１１】
制御回路11は、商用電源ACのゼロクロス点で発生するゼロクロス信号によって商用電源ACと同期するように動作する。ゼロクロス信号は、商用電源ACをブリッジ整流回路BRで全波整流し、ゼロクロス検出回路13を通すことによって得られる。また、制御回路11では、外付された水晶振動子Ｘにより内部の基準クロック信号が得られるようになっている。
【００１２】
ブリッジ整流回路BRの出力は、ゼロクロス信号に同期したスイッチング信号によってオン・オフ制御されるスイッチ回路14に入力される。スイッチング信号は、第３図（ｂ）のように、ゼロクロス信号（第３図（ａ））の立ち下がりから所定期間T1は“L"になり、この期間T1にはスイッチ回路14はオンになる。その後、次のゼロクロス信号の立ち下がりまでスイッチ回路14はオフになる。また、トライアックＱに対して調光信号を発生できる範囲は、スイッチ回路14がオフになってから次のゼロクロス信号が立ち上がる前の所定期間T2に設定されている。第３図（ｃ）に調光信号の一例を示す。スイッチ回路14の出力は、親器用電源回路15と子器用電源回路16とによりそれぞれ安定化される。すなわち、スイッチ回路14がオンの期間にのみ、親器用電源回路15と子器用電源回路16とに給電するようにし、トライアックＱをオンにできる期間とずれるようにしているのである。
【００１３】
親器用電源回路15は、高電圧電源部15aと、高電圧電源部15aの出力電圧をさらに降圧する低電圧電源部15bとで構成される。低電圧電源部15bは、制御回路11および後述する記憶回路17や判別回路20に給電する。また、低電圧電源部15bの出力は、電源投入時に制御回路11へのリセット信号を発生するリセット回路18にも入力される。
【００１４】
ところで、制御回路11には、それぞれ押釦スイッチであるオン・オフスイッチSW1、アップスイッチSW2、ダウンスイッチSW3が接続されている。アップスイッチSW2およびダウンスイッチSW3は、調光操作手段となる。制御回路11は、オン・オフスイッチSW1がオンにされる（すなわち、押される）たびに、トライアックＱを導通可能状態と非導通状態とに交互に切り換えるようにドライブ回路12に対して調光信号を発生する。また、制御回路11からは導通可能状態と非導通状態とを示すオン・オフ信号が出力されて表示灯駆動回路19に入力されており、導通可能状態が選択されると赤色の発光ダイオードよりなるオン表示灯LD1が点灯し、非導通状態が選択されると緑色の発光ダイオードよりなるオフ表示灯LD2が点灯するようになっている。
【００１５】
さらに、導通可能状態が選択されているときには、アップスイッチSW2とダウンスイッチSW3とにより選択された導通角でトライアックＱがオンになるように調光信号を発生する。すなわち、制御回路11では、アップスイッチSW2をオンにすれば、照明負荷Ｌへの供給電力を増加させるようにトライアックＱの導通角を所定量だけ大きくし（つまり、トライアックＱがオンになってから次のゼロクロス点までの時間を長くし）、ダウンスイッチSW3をオンにすれば、照明負荷Ｌへの供給電力を減少させるようにトライアックＱの導通角を所定量だけ小さくする。また、制御回路11では、アップスイッチSW2やダウンスイッチSW3を所定時間（たとえば、200m秒）以上連続してオンにし続けると連続的に導通角を変化させるようになっている。制御回路11には、EEPROMよりなる記憶手段としての記憶回路17が接続されており、オン・オフスイッチSW1、アップスイッチSW2、ダウンスイッチSW3のいずれかがオンにされた後オフにされた時点で、制御回路11に設定されているオン・オフの状態と導通角とが記憶回路17に書き込まれるようになっている。なお、記憶回路17にはデータをシリアルに伝送するものを用いている。記憶回路17に書き込まれたデータは、電源がオフになってからも保持され、次に電源がオンになったときにはこのデータが利用されるようになっている。ここにおいて、記憶回路17としては、書換可能な不揮発性のメモリであれば、EEPROM以外のものを用いてもよい。
【００１６】
制御回路11について以上の動作をまとめると第４図のようになる。すなわち、電源がオンになるとリセット回路18からのリセット信号によって初期化される。初期化の際には記憶回路17に書き込まれているデータが読み出され、制御回路11におけるオン・オフ状態や導通角の初期値として利用される。したがって、施工直後には工場出荷時に設定されたデータが用いられ、停電復帰時には停電前のデータを用いることができるのである。初期化後、ゼロクロス検出回路13からゼロクロス信号を受けると、ゼロクロス信号の立ち下がりからスイッチ回路14を所定時間だけオンにする。次に、オン・オフスイッチSW1、アップスイッチSW2、ダウンスイッチSW3の入力状態を検出して、導通角の変更があれば変更を行う。また、表示灯駆動回路19にオン・オフ信号を出力してオン・オフの状態を表示灯LD1,LD2によって表示する。さらに、オン・オフの状態や導通角に変更があった場合には、記憶回路17へのデータの書き込みを行う。これらの処理が完了した後、スイッチ回路14をオフにし、設定された導通角に基づいて調光信号を出力する。上述した処理のうち初期化を除く処理はゼロクロス信号が出力されるたびに繰り返される。
【００１７】
ところで、上述したように親器１には信号線ｌを介して子器２が接続可能であって、子器２を操作することによっても照明負荷Ｌのオン・オフの制御や導通角の制御ができるようにしてある。信号線ｌの２線間には子器用電源回路16の出力電圧が印加されており、子器２からは、信号線ｌの２線間を短絡して線間電圧を0Vにする状態、信号線ｌの２線間を開放して線間電圧を子器用電源回路16の出力電圧にする状態、信号線ｌの線間電圧を子器用電源回路16の出力電圧よりは低い高低２種のいずれかから選択する状態の４状態が指定できるようになっている。また、子器用電源回路16はブレークオーバー電圧の異なる２個のツェナーダイオードZD1,ZD2を備え、制御回路11からのオン・オフ信号に呼応して、照明負荷Ｌのオン時にはツェナーダイオードZD1を用い、オフ時にはツェナーダイオードZD2を用いるようにしている。子器用電源回路16の出力電圧は、照明負荷Ｌのオン時にはオフ時よりも低くなるようにしてある。
【００１８】
信号線ｌの線間電圧は親器１の判定回路20で検出され、上記４状態に基づいて、オン・オフスイッチSW1、アップスイッチSW2、ダウンスイッチSW3のいずれかを操作した状態に相当する信号を発生させる。すなわち、判定回路20は、信号線ｌの線間電圧を検出する４個のコンパレータCM1〜CM4を備え、各コンパレータCM1〜CM4は、高電圧電源部15aの出力電圧を抵抗R1〜R5の直列回路によって分圧して得た互いに異なる基準電圧と、信号線ｌの線間電圧を抵抗R6,R7の直列回路によって分圧して得た電圧との大小関係に応じて出力レベルを“H"と“L"とのいずれかに設定する。各コンパレータCM1〜CM4の基準電圧をそれぞれV1〜V4とすれば、V1＞V2＞V3＞V4となるように設定されている。子器用電源回路16の出力電圧は、照明負荷Ｌのオン時、オフ時にかかわらず、コンパレータCM1の基準電圧V1よりも高く設定してある。また、高低２種の電圧のうち高側電圧は基準電圧V1,V2の間、低側電圧は基準電圧V2,V3の間に設定される。
【００１９】
しかるに、信号線ｌの線間が開放されていると、コンパレータCM2の出力レベルのみが“H"になり、他のコンパレータCM1,CM3,CM4の出力レベルは“L"になる。このとき、すべてのノット回路NOT1〜NOT3の出力レベルは“H"になり、オン・オフスイッチSW1、アップスイッチSW2、ダウンスイッチSW3のいずれも操作していない状態と同じになる。ここで、照明負荷Ｌはオフであるものとする。
【００２０】
この状態において信号線ｌを短絡すると、信号線ｌが短絡されている期間は線間電圧が0Vになるから、コンパレータCM2の出力レベルは“L"、他のコンパレータCM1,CM3,CM4の出力レベルは“H"になる。このとき、ノット回路NOT3の出力レベルのみが“L"になる。すなわち、オン・オフスイッチSW1をオンにした状態と同じになるのであって、照明負荷Ｌはオンになる。また、照明負荷Ｌがオンになるのに伴って子器用電源回路16の出力電圧が低くなる。
【００２１】
この状態で、信号線ｌの線間電圧を高側電圧にすれば、コンパレータCM1,CM2の出力レベルがともに“H"になるから、ノット回路NOT1の出力レベルが“L"になり、アップスイッチSW2をオンにした状態と同じになる。また、信号線ｌの線間電圧を低側電圧にすれば、コンパレータCM2,CM3の出力レベルがともに“L"になるから、ノア回路NORの出力レベルが“H"になり、ノット回路NOT2の出力レベルが“L"になる。すなわち、ダウンスイッチSW3をオンにした状態と同じになる。
【００２２】
以上のようにして、子器２によって信号線ｌの線間電圧を操作することによって、親器１の制御回路11を制御することができるのである。
【００２３】
ところで、子器２は第５図のように構成されている。すなわち、信号線ｌの２線の間には２線間の短絡と開放とを選択するオン・オフスイッチSW11が挿入さる。また、親器２に設けた子器用電源回路16の出力電圧を信号線ｌを介して受けるとともに、線間電圧の変化に基づいて照明負荷Ｌのオン・オフの状態を検出して表示灯LD11,LD21を点滅させる表示灯駆動回路21が設けられている。さらに、ブレークオーバ電圧の異なる一対のツェナーダイオードZD3,ZD4がそれぞれ調光操作手段であるアップスイッチSW21とダウンスイッチSW31とに直列接続され、表示灯駆動回路21において照明負荷Ｌのオン時に導通するスイッチ素子Ｓを介して、両直列回路が信号線ｌの２線間に挿入されている。したがって、照明負荷Ｌのオン時には、アップスイッチSW21とダウンスイッチSW31とのいずれかをオンにすれば、信号線ｌの線間電圧を高低２種のいずれかに設定することができるのである。
【００２４】
ところで、親器１は、第６図ないし第９図に示すように、合成樹脂等により形成された上面開口するボディ30と、ボディ30の開口面を覆うダイキャストよりなるカバー40とを備え、ボディ30の四隅を通してカバー40に螺合する組立ねじ31によってボディ30とカバー40とが結合されてケースが形成されている。
【００２５】
ボディ30の下部内にはいわゆる速結端子構造の端子33が納装されており（第７図参照）、第９図に示すように、ボディ30の背面に穿孔された電線挿通孔34を通して挿入される信号線ｌや照明負荷Ｌからの電線を基板32aに実装した回路に接続できるようになっている。また、トライアックＱはカバー40に固定され、カバー40が放熱板として機能するようになっている。
【００２６】
カバー40は取付枠としても機能する形状に形成されている。すなわち、カバー40は、JIS等で配線器具用に規格化されている３個用の取付枠を横に２個連結した形状に形成されており、壁面等に埋め込まれるスイッチボックス等に対してボックスねじを用いて固定できるように、ボックスねじ挿入用の取付孔41を備え、また、カバー40の前面の周部を覆う化粧プレートを固定するためのプレートねじが螺合するプレート用ねじ孔42が形成されている。さらに、壁パネルなどをカバー40との間に挟持する引掛金具の一端部を支持するための引掛金具用孔43も形成されている。
【００２７】
ボディ30には上述した回路や押釦スイッチよりなるオン・オフスイッチSW1、アップスイッチSW2、ダウンスイッチSW3が実装された基板32aが納装される。オン・オフスイッチSW1、アップスイッチSW2、ダウンスイッチSW3が実装された基板32aは、カバー40の裏面に突設されたボス44に螺合する固定ねじ45を用いてカバー40の裏面から所定距離だけ離間して固定される。オン・オフスイッチSW1、アップスイッチSW2、ダウンスイッチSW3の各操作子はカバー40に形成された３個の挿通孔46を通してそれぞれカバー40の上面側に突出する。ここに、カバー40において、オン・オフスイッチSW1は、取付枠１個分に相当する一方の側半部に対応して配設され、アップスイッチSW2とダウンスイッチSW3とは他方の側半部に対応して配設される。カバー40においてオン・オフスイッチSW1に対応する一方の側半部には、各表示灯LD1,LD2に対応する表示窓471,472が形成されている。また、カバー40の上面には、オン・オフスイッチSW1、アップスイッチSW2、ダウンスイッチSW3の操作子をそれぞれ独立して押圧することができるようにハンドル501〜503が配設される。
【００２８】
オン・オフスイッチSW1に対応するハンドル501は、第８図に示すように、カバー40のほぼ半分を覆う大きさに形成され、アップスイッチSW2とダウンスイッチSW3とに対応するハンドル502,503は、カバー40の残りの半分を上下に半分ずつ覆う程度の大きさに形成される。各ハンドル50（以下の説明において、各ハンドル501〜503に共通な構成を説明する場合には、ハンドル50とする）の裏面の一方の側部には、第10図に示すように、フック脚51が一対ずつ突設され（第10図の紙面に直交する方向に一対設けられる）、フック脚51がカバー40に設けた係合孔52に係着されることによって、ハンドル50がカバー40に対して揺動自在に枢着される。各ハンドル50の他方の側部には復帰ばね53が固着される。ハンドル501には一対の復帰ばね53が固着され、他のハンドル502,503には復帰ばね53が１個ずつ固着される。復帰ばね53は、第６図に示すように、略コ形に形成されたステンレスの板ばねであって、中央片に対してハンドル50の背面に突設された固定脚54が挿入され、固定脚54の先端部が熱で潰されることによってハンドル50に固定される。ここに、固定脚54の先端部を熱で潰さずに、固定脚54を復帰ばね53に圧入して固定するものでもよい。また、両脚片の先端部がカバー40の表面に弾接することによってハンドル50の一方の側部（枢着部とは反対の側部）がカバー40から浮き上がるようにしている。ここにおいて、ハンドル50のカバー40からの浮き上がり量が一定になるように、復帰ばね53の中央片の中央部には、カバー40に設けた引掛孔55に係合する引掛片56が突設されている。このように、カバー40の引掛孔55に復帰ばね53の引掛片56が係合することによって、ハンドル50のストロークが規制されるのである。オン・オフスイッチSW1に対応するハンドル501におけるカバー40への枢着部側の側部には、表示窓471,472に対応する位置で表示灯LD1,LD2の点滅を確認できるように透光カバー57が凹凸結合のような通常の構成で係着されている。このように、透光カバー57がハンドル501の枢着部附近に設けられていることにより、ハンドル501が揺動しても表示灯LD1,LD2と透光カバー57との距離がほとんど変わらないのであり、表示灯LD1,LD2の点滅状態の確認が妨げられないのである。ハンドル501には、照明負荷Ｌの名前を記入して照明負荷Ｌとの対応関係を確認できるようにするためのネームプレート58およびネームプレート58を覆うネームカバー59とが設けられ、ネームカバー59は凹凸結合のような通常の構成により、ハンドル501の前面に着脱可能に結合される。ハンドル50をカバー40に取着する際には、カバー40の上面の要所に突設された位置決め突起48に、ハンドル50の裏面の要所を当接させるようにすれば、カバー40に対するハンドル50の相対位置が決定されるようになっている。この構成によって、自動組立などの際にハンドル50の位置決めが容易になるのである。
【００２９】
一方、子器２は、第11図ないし第15図に示すように構成される。子器２では、合成樹脂等により形成された前面開口するボディ30aと、ボディ30aの開口面を覆うダイキャストよりなるカバー40aとを、ボディ30aを通してカバー40aに螺合する組立ねじ31によって結合した点については、親器１と同様であるが、カバー40aが、JIS等で配線器具用に規格化されている配線器具３個用の取付枠の１個分の大きさとなるように寸法が設定されている点で親器１とは相異している。
【００３０】
子器３ではカバー40aの寸法が親器１よりも小さいから、第13図に示すように、カバー40aを上下にほぼ３等分するようにして３個のハンドル50a1〜50a3が設けられる。各ハンドル50a1〜50a3のカバー40aに対する取付方は、親器１と同様であり、復帰ばね53によってハンドル50a1〜50a3に復帰力が与えられるようになっている。他の構成について、親器１と同一の番号を付した部分は親器１と同様の機能を有するものであるから説明を省略する。
【００３１】
【発明の効果】
上述のように、請求項１の構成によれば、調光レベル設定手段で設定した調光レベルを調光操作手段の操作終了毎に記憶する書換可能な不揮発性のメモリよりなる記憶手段を設け、調光レベル設定手段では、通電開始直後には記憶手段に格納されている調光レベルに基づいて電力制御手段に調光レベルを指示するようにしているので、停電などで給電が停止しても、その時点で記憶手段への書込処理などを行うことなくそれまでの調光レベルを記憶手段に保持しておくことができ、給電が再開されたときには、記憶手段に格納された給電停止前の調光レベルで照明負荷を点灯させることができるのであって、調光レベルの復旧に手間がかからないという利点を有する。
【００３２】
また、調光操作手段として、調光レベルを増大させるアップスイッチと、調光レベルを減少させるダウンスイッチとを設け、アップスイッチ、ダウンスイッチ、オン・オフスイッチを、それぞれ押釦スイッチと、押釦スイッチの操作子を操作できるようにケースの外面に枢着したハンドルとにより構成しているので、調光レベルの増大、減少を独立したハンドルで操作できるとともに、照明負荷をオン・オフさせるハンドルが調光レベルを調節するハンドルとは別個に設けられていることによって、操作の意味がわかりやすくなって使い勝手が向上するという効果を奏するのである。
【００３３】
しかも、調光操作手段とオン・オフスイッチとを備えた子器を接続できる端子を設けているので、子器を増設するだけで、多箇所から照明負荷を操作できるという利点がある。
［図面の簡単な説明］
【図１】本発明の全体構成を示す概略構成図である。
【図２】同上に用いる親器の回路図である。
【図３】同上の動作説明図である。
【図４】同上の動作説明図である。
【図５】同上に用いる子器の回路図である。
【図６】同上に用いる親器の分解斜視図である。
【図７】同上に用いる親器の一部切欠側面図である。
【図８】同上に用いる親器の正面図である。
【図９】同上に用いる親器の背面図である。
【図１０】同上に用いるハンドルの断面図である。
【図１１】同上に用いる子器の分離斜視図である。
【図１２】同上に用いる子器の横断面図である。
【図１３】同上に用いる子器の正面図である。
【図１４】同上に用いる子器の一部切欠側面図である。
【図１５】同上に用いる子器の背面図である。
【符合の説明】
１  親器
２  子器
11  制御回路
17  記憶回路
30  ボディ
33  端子
40  カバー
501〜503  ハンドル
51  フック脚
53  復帰ばね
Ｌ  照明負荷
Ｑ  トライアック
SW1,SW11  オン・オフスイッチ
SW2,SW21  アップスイッチ
SW3,SW31  ダウンスイッチ
【図１０】
0003540811.tif 000002
【図１】
0003540811.tif 000003
【図３】
0003540811.tif 000004
【図２】
0003540811.tif 000005
【図４】
0003540811.tif 000006
【図５】
0003540811.tif 000007
【図６】
0003540811.tif 000008
【図７】
0003540811.tif 000009
【図８】
0003540811.tif 000010
【図９】
0003540811.tif 000011
【図１１】
0003540811.tif 000012
【図１２】
0003540811.tif 000013
【図１３】
0003540811.tif 000014
【図１４】
0003540811.tif 000015
【図１５】
0003540811.tif 000016